(57)【要約】【課題】所望の再生開始位置をより容易に選択して、再生開始を行うことができる再生装置を提供する。【解決手段】ＤＶＤプレーヤ１００において、入力手段はキー操作部２１におけるキー操作に基づいて現在の処理位置からスキップする任意の時間情報をユーザに入力させ、選択手段はＤＶＤ１１ａに記録された画像データから、入力された任意の時間情報に相当する位置の特定フレームデータを選択するとともに、当該特定フレームデータより前及び／又は後の所定範囲内に存在するフレームデータを複数選択し、表示制御手段は選択された特定フレームデータ及び複数のフレームデータをサムネイル画像に変換して表示部に一覧表示し、指定手段は一覧表示されたサムネイル画像の中から一のサムネイル画像をユーザに指定させ、再生手段は指定された一のサムネイル画像に対応するフレームデータを再生開始位置として再生を行う。【選択図】図１
2008167013.tif 000002
【特許請求の範囲】
【請求項１】
情報記録媒体に記録された画像データを再生する再生装置において、
ユーザによるキー操作を受け付けるキー操作部と、
前記キー操作部におけるキー操作に基づいて、前記情報記録媒体における現在の処理位置からスキップする任意の時間情報を、ユーザに入力させる入力手段と、
前記キー操作部におけるキー操作に基づいて、前記入力手段により入力された前記任意の時間情報に相当する位置の特定フレームデータより前及び／又は後の所定範囲内に存在するフレームデータの中から複数のフレームデータを選択する際のフレーム間隔を、一定間隔又は前記特定フレームデータから段階的に広がる間隔のうちから、ユーザに選択させるフレーム間隔選択手段と、
前記情報記録媒体に記録された前記画像データから、前記入力手段により入力された前記任意の時間情報に相当する位置の前記特定フレームデータを選択するとともに、前記フレーム間隔選択手段により選択されたフレーム間隔に基づいて、当該特定フレームデータより前及び／又は後の所定範囲内に存在するフレームデータを複数選択する選択手段と、
前記選択手段により選択された前記特定フレームデータ及び前記複数のフレームデータを、それぞれサムネイル画像に変換して、表示部に一覧表示させる表示制御手段と、
前記キー操作部におけるキー操作に基づいて、前記表示制御手段により前記表示部に一覧表示された前記サムネイル画像の中から、一のサムネイル画像をユーザに指定させる指定手段と、
前記指定手段により指定された前記一のサムネイル画像に対応するフレームデータを再生開始位置として、再生を行う再生手段と、
を備えることを特徴とする再生装置。
【請求項２】
情報記録媒体に記録された画像データを再生する再生装置において、
ユーザによるキー操作を受け付けるキー操作部と、
前記キー操作部におけるキー操作に基づいて、前記情報記録媒体における現在の処理位置からスキップする任意の時間情報を、ユーザに入力させる入力手段と、
前記情報記録媒体に記録された前記画像データから、前記入力手段により入力された前記任意の時間情報に相当する位置の特定フレームデータを選択するとともに、当該特定フレームデータより前及び／又は後の所定範囲内に存在するフレームデータを複数選択する選択手段と、
前記選択手段により選択された前記特定フレームデータ及び前記複数のフレームデータを、それぞれサムネイル画像に変換して、表示部に一覧表示させる表示制御手段と、
前記キー操作部におけるキー操作に基づいて、前記表示制御手段により前記表示部に一覧表示された前記サムネイル画像の中から、一のサムネイル画像をユーザに指定させる指定手段と、
前記指定手段により指定された前記一のサムネイル画像に対応するフレームデータを再生開始位置として、再生を行う再生手段と、
を備えることを特徴とする再生装置。
【請求項３】
前記選択手段は、前記特定フレームデータより前及び／又は後の所定範囲内に存在するフレームデータの中から、複数のフレームデータを、一定間隔で選択することを特徴とする請求項２に記載の再生装置。
【請求項４】
前記選択手段は、前記特定フレームデータより前及び／又は後の所定範囲内に存在するフレームデータの中から、複数のフレームデータを、当該特定フレームデータから段階的に間隔を広げて選択することを特徴とする請求項２に記載の再生装置。
【発明の詳細な説明】
【技術分野】
【０００１】
本発明は、情報記録媒体に記録された画像データの再生を行う再生装置に関する。
【背景技術】
【０００２】
従来、画像データが記録された情報記録媒体を再生する再生装置が知られている。
例えば、特許文献１には、早送り、巻き戻し再生時に、再生画像を一定間隔でインデックス画像として動画像表示部に残し、指定されたインデックス画像に対応する再生位置から通常再生を開始することで、利用者がより正確に再生開始位置を指定できる動画像再生装置が開示されている。
また、例えば、特許文献２には、動画ファイルを均等に分割し、分割されたフレームの集合である分割動画データから１フレームずつとって合成した合成フレームを作成し、これらをつなぎ合わせた動画インデックスを作成して再生することにより、迅速に動画全体の内容を把握して、動画編集を行う前に編集したい動画シーンを的確に見つけ出すことができる動画像管理方法が提案されている。
また、特許文献３には、一覧画像表示部に表示される縮小画像により、映像の内容把握や、見たいフレームの検索が容易になるとともに、一覧画像表示部の縮小画像から所望の縮小画像が選択された場合に、視聴中のアドレスをその縮小画像の示すアドレスへスキップすることにより、素早く見たいフレームにスキップして再生することができる映像記録再生装置が開示されている。
【特許文献１】特開２００５−２７７８０３号公報
【特許文献２】特開２００５−８６３４４号公報
【特許文献３】特開２０００−１２５２４３号公報
【発明の開示】
【発明が解決しようとする課題】
【０００３】
しかしながら、現在の処理位置からスキップして再生を行いたい場合に、予めユーザがスキップしたい位置までの再生にかかる時間を把握又は予想している場合がある。このような場合には、上記特許文献１のように、早送り再生を行いながら生成されるインデックス画像により再生開始位置を指定する方法では、目的の再生開始位置まで早送り再生で到達するのに時間がかかってしまうという問題があった。また、早送り再生を高速で行う技術もあるが、高速で早送り再生を行った場合には目的の位置で停止できずに巻き戻すことになる等、結局時間がかかってしまうことが多かった。さらに、上述した特許文献２又は特許文献３のように、選択したいフレームデータを動画ファイル全体から作成されたインデックス画像の中から探し出して選択するのでは、目的のインデックス画像を探し出す時間や手間がかかってしまうという問題があった。
【０００４】
本発明の課題は、所望の再生開始位置をより容易に選択して、再生開始を行うことができる再生装置を提供することである。
【課題を解決するための手段】
【０００５】
上記課題を解決するため、請求項１に記載の発明は、情報記録媒体に記録された画像データを再生する再生装置において、
ユーザによるキー操作を受け付けるキー操作部と、
前記キー操作部におけるキー操作に基づいて、前記情報記録媒体における現在の処理位置からスキップする任意の時間情報を、ユーザに入力させる入力手段と、
前記キー操作部におけるキー操作に基づいて、前記入力手段により入力された前記任意の時間情報に相当する位置の特定フレームデータより前及び／又は後の所定範囲内に存在するフレームデータの中から複数のフレームデータを選択する際のフレーム間隔を、一定間隔又は前記特定フレームデータから段階的に広がる間隔のうちから、ユーザに選択させるフレーム間隔選択手段と、
前記情報記録媒体に記録された前記画像データから、前記入力手段により入力された前記任意の時間情報に相当する位置の前記特定フレームデータを選択するとともに、前記フレーム間隔選択手段により選択されたフレーム間隔に基づいて、当該特定フレームデータより前及び／又は後の所定範囲内に存在するフレームデータを複数選択する選択手段と、
前記選択手段により選択された前記特定フレームデータ及び前記複数のフレームデータを、それぞれサムネイル画像に変換して、表示部に一覧表示させる表示制御手段と、
前記キー操作部におけるキー操作に基づいて、前記表示制御手段により前記表示部に一覧表示された前記サムネイル画像の中から、一のサムネイル画像をユーザに指定させる指定手段と、
前記指定手段により指定された前記一のサムネイル画像に対応するフレームデータを再生開始位置として、再生を行う再生手段と、
を備えることを特徴とする。
【０００６】
請求項２に記載の発明は、情報記録媒体に記録された画像データを再生する再生装置において、
ユーザによるキー操作を受け付けるキー操作部と、
前記キー操作部におけるキー操作に基づいて、前記情報記録媒体における現在の処理位置からスキップする任意の時間情報を、ユーザに入力させる入力手段と、
前記情報記録媒体に記録された前記画像データから、前記入力手段により入力された前記任意の時間情報に相当する位置の特定フレームデータを選択するとともに、当該特定フレームデータより前及び／又は後の所定範囲内に存在するフレームデータを複数選択する選択手段と、
前記選択手段により選択された前記特定フレームデータ及び前記複数のフレームデータを、それぞれサムネイル画像に変換して、表示部に一覧表示させる表示制御手段と、
前記キー操作部におけるキー操作に基づいて、前記表示制御手段により前記表示部に一覧表示された前記サムネイル画像の中から、一のサムネイル画像をユーザに指定させる指定手段と、
前記指定手段により指定された前記一のサムネイル画像に対応するフレームデータを再生開始位置として、再生を行う再生手段と、
を備えることを特徴とする。
【０００７】
請求項３に記載の発明は、請求項２に記載の再生装置において、前記選択手段は、前記特定フレームデータより前及び／又は後の所定範囲内に存在するフレームデータの中から、複数のフレームデータを、一定間隔で選択することを特徴とする。
【０００８】
請求項４に記載の発明は、請求項２に記載の再生装置において、前記選択手段は、前記特定フレームデータより前及び／又は後の所定範囲内に存在するフレームデータの中から、複数のフレームデータを、当該特定フレームデータから段階的に間隔を広げて選択することを特徴とする。
【発明の効果】
【０００９】
請求項１に記載の発明によれば、情報記録媒体に記録された画像データを再生する再生装置において、ユーザによるキー操作を受け付けるキー操作部が備わり、入力手段により、キー操作部におけるキー操作に基づいて、情報記録媒体における現在の処理位置からスキップする任意の時間情報が、ユーザにより入力され、フレーム間隔選択手段により、キー操作部におけるキー操作に基づいて、入力手段により入力された任意の時間情報に相当する位置の特定フレームデータより前及び／又は後の所定範囲内に存在するフレームデータの中から複数のフレームデータを選択する際のフレーム間隔が、一定間隔又は特定フレームデータから段階的に広がる間隔のうちから、ユーザにより選択され、選択手段により、情報記録媒体に記録された画像データから、入力手段により入力された任意の時間情報に相当する位置の前記特定フレームデータが選択されるとともに、フレーム間隔選択手段により選択されたフレーム間隔に基づいて、当該特定フレームデータより前及び／又は後の所定範囲内に存在するフレームデータが複数選択され、表示制御手段により、選択手段により選択された特定フレームデータ及び複数のフレームデータが、それぞれサムネイル画像に変換されて、表示部に一覧表示され、指定手段により、キー操作部におけるキー操作に基づいて、表示制御手段により表示部に一覧表示されたサムネイル画像の中から、一のサムネイル画像がユーザにより指定され、再生手段により、指定手段により指定された一のサムネイル画像に対応するフレームデータが再生開始位置とされて、再生が行われる。
したがって、ユーザにより入力された任意の時間分だけスキップした位置のフレームデータと、そのフレームデータの前及び／又は後の所定範囲内のフレームデータとがサムネイル画像に変換されてユーザに提示されるため、所望の再生開始位置をより容易に選択して、再生開始を行うことができる再生装置を提供することができる。また、ユーザにより入力された任意の時間情報に相当する位置の所定範囲内から、ユーザの希望に沿った方法で選択されたフレームデータに基づくサムネイル画像がユーザに提示されるため、使い勝手が向上することとなる。
【００１０】
請求項２に記載の発明によれば、情報記録媒体に記録された画像データを再生する再生装置において、ユーザによるキー操作を受け付けるキー操作部が備わり、入力手段により、キー操作部におけるキー操作に基づいて、情報記録媒体における現在の処理位置からスキップする任意の時間情報が、ユーザにより入力され、選択手段により、情報記録媒体に記録された画像データから、入力手段により入力された任意の時間情報に相当する位置の特定フレームデータが選択されるとともに、当該特定フレームデータより前及び／又は後の所定範囲内に存在するフレームデータが複数選択され、表示制御手段により、選択手段により選択された特定フレームデータ及び複数のフレームデータが、それぞれサムネイル画像に変換されて、表示部に一覧表示され、指定手段により、キー操作部におけるキー操作に基づいて、表示制御手段により表示部に一覧表示されたサムネイル画像の中から、一のサムネイル画像がユーザにより指定され、再生手段により、指定手段により指定された一のサムネイル画像に対応するフレームデータを再生開始位置として、再生が行われる。
したがって、ユーザにより入力された任意の時間分だけスキップした位置のフレームデータと、そのフレームデータの前及び／又は後の所定範囲内のフレームデータとがサムネイル画像に変換されてユーザに提示されるため、所望の再生開始位置をより容易に選択して、再生開始を行うことができる再生装置を提供することができる。
【００１１】
請求項３に記載の発明は、請求項２に記載の発明の効果が得られるのは無論のこと、選択手段により、特定フレームデータより前及び／又は後の所定範囲内に存在するフレームデータの中から、複数のフレームデータが、一定間隔で選択される。
したがって、ユーザは、入力した任意の時間情報に相当する位置の所定範囲内から均等に取得されたフレームデータに基づくサムネイル画像の中から、再生開始位置を選択することができる。
【００１２】
請求項４に記載の発明は、請求項２に記載の発明の効果が得られるのは無論のこと、選択手段により、特定フレームデータより前及び／又は後の所定範囲内に存在するフレームデータの中から、複数のフレームデータが、当該特定フレームデータから段階的に間隔を広げて選択される。
したがって、ユーザにより入力された任意の時間情報に相当する位置に近い位置に存在するフレームデータに基づくサムネイル画像が、より多く提示されるため、ユーザは、入力した任意の時間情報付近を再生開始位置としてより細かく選択することが可能となる。
【発明を実施するための最良の形態】
【００１３】
以下、図面を参照しながら、本発明の実施の形態を詳細に説明する。なお、発明の範囲は図示例に限定されない。
【００１４】
本実施の形態では、情報記録媒体に記録された画像データの再生を行う再生装置として、ＤＶＤ（Digital Versatile Disc）に記録された映像データ（画像データ）を含むコンテンツデータの再生を行うＤＶＤプレーヤを例示して説明を行う。
【００１５】
まず、図１を参照しながら、本実施形態におけるＤＶＤプレーヤ１００の全体構成について説明する。
図１に示すように、再生装置としてのＤＶＤプレーヤ１００は、ＤＶＤ１１ａに記録された映像データ・音声データ・副映像データ等から成るコンテンツデータの再生を行う装置本体１と、ユーザが各種操作指示を入力して装置本体１を遠隔操作するためのリモートコントローラ２等を備えて構成されている。また、装置本体１には、装置本体１において再生されたコンテンツデータに基づく映像・音声を出力するテレビジョン受像機３が接続されている。  
【００１６】
リモートコントローラ（以下、リモコンと称する）２は、複数の操作キーを備えるキー操作部２１を備えて構成され、ＤＶＤプレーヤ１００の装置本体１を遠隔操作する。具体的には、リモコン２等に備わる当該キー操作部２１において、ユーザによりキーの押下操作がなされると、押下操作されたキーに対応する赤外線等の入力操作信号が出力され、当該入力操作信号が装置本体１に設けられたリモコン信号受光部１７を介して、制御部１８に出力されることとなる。
キー操作部２１は、例えば、フレーム間隔選択画面Ｄ１（後述）を表示させるためのフレーム間隔選択キー２１ａ、スキップ時間入力画面Ｄ２（後述）を表示させるためのスキップ時間入力キー２１ｂ、スキップ時間入力画面Ｄ２におけるスキップ時間（後述）の指示入力や、チャンネル番号の指示入力等を行うための数字（０〜９）が割り当てられたテンキー２１ｃ、アップ／ダウンキー２１ｄ、決定キー２１ｅ等を備えており、更に、図示は省略するが、ＤＶＤプレーヤ１００の電源をオン／オフするための電源キー、再生を指示入力するための再生キー、停止を指示入力するための停止キー、各種メニュー画面を表示させるためのメニューキー、等を備えている。
なお、キー操作部２１は装置本体１に設けられる構成であっても良い。
【００１７】
装置本体１は、ＤＶＤ１１ａに記録されたコンテンツデータの再生を行うＤＶＤドライブ部１１と、ＤＶＤドライブ部１１から取り込んだコンテンツデータを各部に出力するデータプロセッサ１２と、ＤＶＤドライブ部１１から出力されたコンテンツデータに所定のデコード処理を行うデコーダ部１３と、映像データに対してＯＳＤデータ１８２２ｂを付加するＯＳＤ（On Screen Display）回路１４と、デコーダ部１３から出力されたコンテンツデータに対して所定の信号出力処理を行う出力インターフェース部１６と、キー操作部２１からの入力操作信号を受信するとともに、受信した入力操作信号を制御部１８に出力するリモコン信号受光部１７と、装置本体１の各部を統括制御する制御部１８と、装置本体１の各部を接続する制御バス１９と、等を備えている。
【００１８】
ＤＶＤドライブ部１１は、例えば、ＤＶＤドライブ部１１のディスクトレイ（図示省略）に装填されるＤＶＤ１１ａと、ＤＶＤ１１ａに記録されたデータの読み出しを行う光ピックアップ１１ｂと、ディスクトレイに装填されたＤＶＤ１１ａを回転駆動させるスピンドルモータ１１ｃと、光ピックアップ１１ｂをＤＶＤ１１ａの半径方向に移動させる送りモータ１１ｄと、等を備えて構成されている。
【００１９】
具体的には、ＤＶＤ１１ａは、再生専用のＤＶＤ−Ｖｉｄｅｏ・ＤＶＤ−ＲＯＭ(DVD-Read Only Memory)、追記型のＤＶＤ−Ｒ（DVD-Recordable）・ＤＶＤ−ＲＷ（DVD-ReWritable）、書き換え可能なＤＶＤ−ＲＡＭ（DVD-Random Access Memory）等であり、ディスク基盤（図示省略）と、レーザ光の照射による加熱で結晶構造が変化する物質によって形成された記録層（図示省略）と、レーザ光を反射するための反射層（図示省略）等を備えて成る。
このように構成されたＤＶＤドライブ部１１では、ＤＶＤ１１ａに記録されたコンテンツデータの再生処理において、光ピックアップ１１ｂによりＤＶＤ１１ａの反射層にレーザ光を照射し、光電変換及び電流電圧変換によって反射光に応じた電圧信号を生成することにより、ＤＶＤ１１ａに記録されたデータの読み出しを行い、後段のデータプロセッサ１２に出力する。
【００２０】
ここで、後述の選択プログラム１８３ｃにおいて、ＤＶＤ１１ａに記録された画像データのうちから所定のフレームデータを取得する場合には、ＤＶＤプレーヤ１００によるファイル管理システムに対応する領域であり、ＶＴＳ領域に記録したコンテンツデータを管理する管理情報が記録されるＶＭＧ（Video Manager：ビデオマネージャー）領域やビデオタイトルセット情報（VTSI）等から、目的のフレームデータが記録された領域のアドレス情報等が読み出され、読み出されたアドレス情報等に基づいてフレームデータの取得が行われることとなる。
【００２１】
データプロセッサ１２は、例えば、バッファメモリ１２ａを備えて構成され、制御部１８からの制御に基づいて、ＤＶＤ１１ａから読み出されたコンテンツデータに対して所定の信号処理を行う。当該データプロセッサ１２では、例えば、ＡＴＡＰＩ（AT Attachment Packet Interface）方式が採用されている。
具体的には、データプロセッサ１２は、ＤＶＤドライブ部１１から入力されるコンテンツデータに対して波形等価処理を行った後に、Ａ／Ｄ変換を行ってデジタル信号に変換する。その後、８／１６復調を行い、コンテンツデータに付加された誤り訂正符号（ＥＣＣ:Error Correcting Code）に基づく誤り訂正処理を行う。
また、当該データプロセッサ１２では、ＤＶＤドライブ部１１から入力されるコンテンツデータが一旦バッファメモリ１２ａに蓄積され、一定のレートで後段に出力されるように制御される。
【００２２】
デコーダ部１３は、例えば、分離部１３ａと、ビデオデコーダ１３ｂと、オーディオデコーダ１３ｃと、サブピクチャデコーダ１３ｄと、等を備えて構成されている。
分離部１３ａは、データプロセッサ１２から入力されたコンテンツデータを映像データ（画像データ）、音声データ、副映像データ等の複数のデータに分離し、分離した映像データをビデオデコーダ１３ｂに、映像データをオーディオデコーダ１３ｃに、副映像データをサブピクチャデコーダ１３ｄに出力する。ビデオデコーダ１３ｂは、分離部１３ａにおいて分離された映像データをＭＰＥＧ方式に従ってデコードし、オーディオデコーダ１３ｃは、分離部１３ａにおいて分離された音声データをＭＰＥＧオーディオ方式に従ってデコードする。また、サブピクチャデコーダ１３ｄは、分離部１３ａにおいて分離された副映像データをデコードする。
【００２３】
サムネイル画像作成部１４は、例えば、制御部１８からの制御に従い、ビデオデコーダ１３ｂにおいてデコードされた映像データから、サムネイル画像Ｔｎを生成するための１フレーム分の画像データ（フレームデータ）を取得して、取得したフレームデータを、所定の縮小サイズにスケーリングしてサムネイル画像Ｔｎを生成し、出力インターフェース部１６に出力する。
【００２４】
ＯＳＤ回路１５は、コンテンツデータを構成する映像データに対して、後述するメモリ部１８２やＲＯＭ１８３に格納されたＯＳＤデータ１８２２ｂを合成する処理を行う。
【００２５】
出力インターフェース部１６は、例えば、Ｄ／Ａ変換器１６ａ等を備え、再生処理においてデコーダ部１３から入力されるコンテンツデータに対して各種の出力インターフェース処理を施し、ＮＴＳＣ方式やＰＡＬ方式等のテレビジョン受像機３に適合したデータに変換する。出力インターフェース部１６において出力インターフェース処理が行われた映像データ、音声データ、副映像データは、装置本体１に接続されたテレビジョン受像機３に出力され、テレビジョン受像機３の表示部３１に映像データに基づく映像が表示されるとともに、スピーカ３２から音声データに基づく音声が出力され、さらに、副映像データに基づく副映像が表示部３１に表示されることとなる。
【００２６】
具体的には、例えば、出力インターフェース部１６は、制御部１８の制御に従い、ＯＳＤ回路１５から出力されるフレーム間隔選択画面テンプレート用のＯＳＤデータ１８２２ｂに基づいて、後述のフレーム間隔選択画面Ｄ１を作成して、テレビジョン受像機３の表示部３１に出力する。また、出力インターフェース部１６は、制御部１８の制御に従い、ＯＳＤ回路１５から出力されるスキップ時間入力画面テンプレート用のＯＳＤデータ１８２２ｂに基づいて、後述のスキップ時間入力画面Ｄ２を作成して、表示部３１に出力する。さらに、出力インターフェース部１６は、制御部１８の制御に従い、サムネイル画像作成部１４から入力されるサムネイル画像Ｔｎを、ＯＳＤ回路１５から出力される再生開始位置指定画面テンプレート用のＯＳＤデータ１８２２ｂと重ね合わせることにより、後述の再生開始位置指定画面Ｄ３を作成して、表示部３１に出力する。
【００２７】
リモコン信号受光部１７は、リモコン２のキー操作部２１に備わる各種キーがユーザにより押下操作されることにより出力された赤外線等の入力操作信号を受信し、受信した入力操作信号を制御部１８に対して出力する。
【００２８】
制御部１８は、ＣＰＵ（Central Processing Unit）１８１、メモリ部１８２、ＲＯＭ（Read Only Memory）１８３等を備えて構成されている。
【００２９】
ＣＰＵ１８１は、装置本体１の各部から入力された入力信号や、キー操作部２１の各種キーの押下操作によってリモコン信号受光部１７を介して入力された入力操作信号等に応じて、ＲＯＭ１８３に格納された各種プログラムを実行するとともに、実行にかかるプログラムに基づいて装置本体１の各部に出力信号を出力することによって、ＤＶＤプレーヤ１００の動作全般を統括制御する。
【００３０】
メモリ部１８２は、例えば、ＲＡＭ（Random Access Memory）等の揮発性メモリからなるワークエリア１８２１を備えており、ＣＰＵ１８１によって各種プログラムが実行される際に生じる処理結果や、入力されたデータ等がこのワークエリア１８２１に記憶される。
また、メモリ部１８２は、ＥＰＲＯＭ（Erasable Programmable ROM）等の不揮発性メモリからなるデータエリア１８２２を備えている。
このデータエリア１８２２には、後述するフレーム間隔選択プログラム１８３ａにおいてユーザにより選択されたモード等の設定データ１８２２ａが記憶される。
また、データエリア１８２２には、テレビジョン受像機３の表示部３１に表示するＯＳＤ表示に関するＯＳＤデータ１８２２ｂが格納される。ＯＳＤデータ１８２２ｂとしては、図示は省略するものの、フレーム間隔選択画面Ｄ１を作成するためのフレーム間隔選択画面テンプレート用のＯＳＤデータ、現在の処理位置からスキップする任意の時間情報を入力ユーザに入力させるためのスキップ時間入力画面Ｄ２を作成するためのスキップ時間入力画面テンプレート用のＯＳＤデータ、再生開始位置指定画面Ｄ３を作成するための再生開始位置指定画面テンプレート用のＯＳＤデータ等である。
さらに、データエリア１８２２には、後述する表示制御プログラム１８３ｂの実行において、サムネイル画像Ｔｎの作成と同時に作成されるサムネイル画像情報テーブル１８２２（図５参照）が記憶される。
【００３１】
ＲＯＭ１８３は、例えば、不揮発性メモリからなるプログラム格納エリアを有しており、具体的には、フレーム間隔選択プログラム１８３ａ、スキップ時間入力プログラム１８３ｂ、選択プログラム１８３ｃ、表示制御プログラム１８３ｄ、指定プログラム１８３ｅ、再生プログラム１８３ｆ等を備えている。
【００３２】
フレーム間隔選択プログラム１８３ａは、例えば、ＣＰＵ１８１に、キー操作部２１におけるキー操作に基づいて、後述するスキップ時間入力プログラム１８３ｂの実行により、ユーザにより入力された任意の時間情報に相当する位置の特定フレームデータＳｆより前及び／又は後の所定範囲内に存在するフレームデータの中から、複数のフレームデータを選択する際のフレーム間隔を、一定間隔又は特定フレームデータＳｆから段階的に広がる間隔のうちから、ユーザに選択させる機能を実現させるためのプログラムである。
具体的には、ユーザによる、リモコン２等に備わるキー操作部２１におけるフレーム間隔選択キー２１ａのキー操作により、テレビジョン受像機３の表示部３１にフレーム間隔選択画面Ｄ１を表示させるための入力操作信号がリモコン信号受光部１７を介して制御部１８に入力されると、ＣＰＵ１８１は、メモリ部１８２に記憶されたフレーム間隔選択画面テンプレート用のＯＳＤデータ１８２２ｂを読み出し、読み出したＯＳＤデータ１８２２ｂを、ＯＳＤ回路１５により出力インターフェース部１６に出力されるデータに付加することにより、表示部３１にフレーム間隔選択画面Ｄ１を表示させる。
図２は、表示部３１に表示されるフレーム間隔選択画面Ｄ１を例示する図である。図２に示すように、フレーム間隔選択画面Ｄ１には、後述する再生開始位置指定画面Ｄ３にサムネイル画像Ｔｎとして表示させる複数のフレームデータを一定間隔で取得するモード１と、再生開始位置指定画面Ｄ３にサムネイル画像Ｔｎとして表示させる複数のフレームデータを特定フレームデータＳｆ（後述）から段階的に間隔を広げて取得するモード２と、の何れかのモードをユーザに選択させるようになっている。このようなフレーム間隔選択画面Ｄ１において、リモコン２等に備わるキー操作部２１におけるキー操作によりモード１又はモード２が選択されると、選択されたモードがユーザにより選択されたフレーム間隔として、メモリ部１８２のデータエリア１８２２に設定データ１８２２ａとして記憶されることとなる。
ＣＰＵ１８１は、かかるフレーム間隔選択プログラム１８３ａを実行することにより、フレーム間隔選択手段として機能する。
【００３３】
スキップ時間入力プログラム１８３ｂは、例えば、ＣＰＵ１８１に、キー操作部２１におけるキー操作に基づいて、ＤＶＤ１１ａにおける現在の処理位置からスキップする任意の時間情報をユーザに入力させる機能を実現させるためのプログラムである。
具体的には、ユーザによる、リモコン２等に備わるキー操作部２１におけるスキップ時間入力キー２１ｂ等のキー操作により、テレビジョン受像機３の表示部３１にフレーム間隔選択画面Ｄ１を表示させるための入力操作信号がリモコン信号受光部１７を介して制御部１８に入力されると、ＣＰＵ１８１は、メモリ部１８２に記憶されたスキップ時間入力画面テンプレート用のＯＳＤデータ１８２２ｂを読み出し、読み出したＯＳＤデータ１８２２ｂを、ＯＳＤ回路１５により出力インターフェース部１６に出力されるデータに付加することにより、表示部３１にスキップ時間入力画面Ｄ２を表示させる。
図３は、表示部３１に表示されるスキップ時間入力画面Ｄ２を例示する図である。図３に示すように、スキップ時間入力画面Ｄ２には、ＤＶＤ１１ａにおける現在の処理位置からスキップする任意の時間情報（以下、「現在の処理位置からスキップする任意の時間情報」を「スキップ時間」とする）を、時間・分・秒単位で入力できるようになっており、さらに、現在の処理位置より後方向にスキップするか或いは前方向にスキップするかを選択できる。ユーザは、再生開始前や、コンテンツデータの再生中・一時停止中等に、スキップして再生を行いたい場合、リモコン２等のキー操作部２１における所定のキーを操作して、表示部３１にスキップ時間入力画面Ｄ２を表示させ、キー操作部２１に備わるテンキー２１ｃや、アップ／ダウンキー２１ｄ等の操作により、当該スキップ時間入力画面Ｄ２にスキップ時間（例えば、「３０分」）と、スキップする方向（例えば、「後方向」）を入力する。ユーザにより入力されたスキップ時間及びスキップ方向は、メモリ部１８２のワークエリア１８２１に一時的に記憶され、当該スキップ時間及びスキップ方向に基づいて後述の選択プログラム１８３ｃが実行されることとなる。
ＣＰＵ１８１は、かかるスキップ時間入力プログラム１８３ｂを実行することにより、入力手段として機能する。
【００３４】
なお、ここでいうスキップ方向のうち、「後方向」とは、特殊再生処理における早送り方向を意味し、また、「前方向」とは特殊再生処理における早戻し方向を意味する。
【００３５】
選択プログラム１８３ｃは、例えば、ＣＰＵ１８１に、ＤＶＤ１１ａに記録された映像データから、スキップ時間入力プログラム１８３ｂの実行により入力された任意の時間情報に相当する位置の特定フレームデータＳｆを選択するとともに、フレーム間隔選択プログラム１８３ａの実行により選択されたフレーム間隔に基づいて、当該特定フレームデータＳｆより前及び／又は後の所定範囲内Ｒに存在するフレームデータを複数選択する機能を実現させるためのプログラムである。
具体的には、ＣＰＵ１８１は、前述したスキップ時間入力プログラム１８３ｂの実行において、ユーザにより現在の処理位置からスキップする任意の時間情報であるスキップ時間及びスキップ方向が入力されると、当該スキップ時間・スキップ方向に基づいて、ＤＶＤ１１ａに記録された映像データから、現在の処理位置からスキップ方向にスキップ時間分だけスキップした位置に存在する特定フレームデータＳｆを選択し、さらに、当該特定フレームデータＳｆより前及び／又は後の所定範囲内に存在するフレームデータを複数選択する。
ＣＰＵ１８１は、かかる選択プログラム１８３ｃを実行することにより、選択手段として機能する。
【００３６】
ここで、選択プログラム１８３ｃの実行におけるフレームデータの選択処理について、より具体的に説明する。
図４（ａ）は、フレーム間隔選択プログラム１８３ａの実行において、再生開始位置指定画面Ｄ３にサムネイル画像Ｔｎとして表示させる複数のフレームデータを一定間隔で取得するモード１のフレーム間隔がユーザにより選択された場合に、選択プログラム１８３ｃの実行により行われるフレームデータの選択処理を説明するための図である。また、図４（ｂ）は、フレーム間隔選択プログラム１８３ａの実行において、再生開始位置指定画面Ｄ３にサムネイル画像Ｔｎとして表示させる複数のフレームデータを、特定フレームデータＳｆから段階的に間隔を広げて取得するモード２のフレーム間隔がユーザにより選択された場合に、選択プログラム１８３ｃの実行により行われるフレームデータの選択処理を説明するための図である。
【００３７】
まず、図４（ａ）を参照しながら、フレーム間隔選択プログラム１８３ａの実行によりフレームデータを一定間隔で取得するモード１が選択され、当該モード１が設定データ１８２２ａとしてメモリ部１８２のデータエリア１８２２に記憶されていた場合のフレームデータ選択処理について説明する。
例えば、ユーザが、コンテンツデータの再生処理を一時停止する等した位置ｐ１（現在の処理位置）において、リモコン２等のキー操作部２１におけるキー操作により、スキップ時間入力画面Ｄ２を表示部３１に表示させて、スキップ時間として「３０分」、スキップ方向として「後方向」を入力した場合、ＣＰＵ１８１は、図４（ａ）に示すように、現在の処理位置である位置ｐ１から、ユーザにより入力されたスキップ時間である３０分だけ後方向の位置ｐ２に存在する特定フレームデータＳｆ１を、ＤＶＤドライブ部１１においてＤＶＤ１１ａに記録された画像データから選択して取得する。
さらに、ＣＰＵ１８１は、当該特定フレームデータＳｆ１より前及び後の所定範囲内Ｒ１に存在するフレームデータを、一定間隔で複数選択して取得する。例えば、ＣＰＵ１８１は、特定フレームデータＳｆ１の前方向２０分・後方向１０分の範囲内Ｒ１に、５分間隔で存在する６枚のフレームデータＡ〜Ｆを選択して取得する。
これにより、ＤＶＤ１１ａに記録されたコンテンツデータを構成する画像データから、現在の処理位置である位置ｐ１からユーザにより入力されたスキップ時間だけスキップした位置ｐ２に存在する特定フレームデータＳｆ１と、当該特定フレームデータＳｆ１の前方向２０分・後方向１０分の範囲内Ｒ１に５分間隔で存在する６枚のフレームデータＡ〜Ｆと、が読み出されることとなる。
【００３８】
次に、図４（ｂ）を参照しながら、前述のフレーム間隔選択プログラム１８３ａの実行により、フレームデータを特定フレームデータＳｆから段階的に間隔を広げて取得するモード２が選択され、当該モード２が設定データ１８２２ａとしてメモリ部１８２のデータエリア１８２２に記憶されていた場合のフレームデータ選択処理について説明する。
例えば、ユーザが、コンテンツデータの再生処理を一時停止する等した位置ｐ３（現在の処理位置）において、リモコン２等のキー操作部２１におけるキー操作により、スキップ時間入力画面Ｄ２を表示部３１に表示させて、スキップ時間として「４０分」、スキップ方向として「前方向」を入力した場合、ＣＰＵ１８１は、図４（ｂ）に示すように、現在の処理位置である位置ｐ３から、ユーザにより入力されたスキップ時間である４０分だけ前方向の位置ｐ３に存在する特定フレームデータＳｆ２を、ＤＶＤドライブ部１１においてＤＶＤ１１ａに記録された画像データから選択して取得する。
さらに、ＣＰＵ１８１は、当該特定フレームデータＳｆ２より前及び後の所定範囲内Ｒ２に存在するフレームデータを、特定フレームデータＳｆ２から段階的に間隔を広げて複数取得する。例えば、ＣＰＵ１８１は、特定フレームデータＳｆ２を中心とする３０分の範囲内Ｒ２に、特定フレームデータＳｆ２を中心に１分間隔、２分間隔、３分間隔、４分間隔、５分間隔で存在する１０枚のフレームデータＧ〜Ｐを選択して取得する。
これにより、ＤＶＤ１１ａに記録されたコンテンツデータを構成する画像データから、現在の処理位置である位置ｐ３からユーザにより入力されたスキップ時間だけスキップした位置ｐ４に存在する特定フレームデータＳｆ２と、当該特定フレームデータＳｆ２を中心とする３０分の範囲内Ｒ２に１分間隔、２分間隔、３分間隔、４分間隔、５分間隔等の段階的に広がる間隔で存在するフレームデータＧ〜Ｐとが、読み出されることとなる。
【００３９】
表示制御プログラム１８３ｄは、例えば、ＣＰＵ１８１に、選択プログラム１８３ｃの実行により選択された特定フレームデータＳｆ及び複数のフレームデータを、それぞれサムネイル画像Ｔｎに変換して、表示部３１に一覧表示させる機能を実現させるためのプログラムである。
具体的には、フレーム間隔選択プログラム１８３ａの実行により選択されたフレーム間隔を示すモード１又はモード２の設定に基づいて、選択プログラム１８３ｃが実行され、ＤＶＤドライブ部１１において、ＤＶＤ１１ａに記録された画像データから特定フレームデータＳｆと、特定フレームデータＳｆの所定範囲内Ｒに存在する複数のフレームデータとが読み出されると、ＣＰＵ１８１は、読み出されたフレームデータを、データプロセッサ１２を介してデコーダ部１３に出力させ、デコーダ部１３におけるビデオデコーダ１３ｂにデコード処理を行わせる。さらに、デコードされたフレームデータをサムネイル画像作成部１４に出力させ、サムネイル画像作成部１４において、それぞれのフレームデータに対して縮小処理等を行ってサムネイル画像Ｔｎに変換する。
さらに、ＣＰＵ１８１は、サムネイル画像作成部１４において作成されたサムネイル画像Ｔｎを、出力インターフェース部１６に出力して所定の出力処理を行わせるとともに、出力インターフェース部１６に出力されるサムネイル画像Ｔｎに対して、ＯＳＤ回路１５により、メモリ部１８２から読み出された再生開始位置指定画面テンプレート用のＯＳＤデータ１８２２ｂを付加させる処理を行うことにより、サムネイル画像Ｔｎが一覧表示された再生開始位置指定画面Ｄ３を作成して、表示部３１に表示させる。
ＣＰＵ１８１は、かかる表示制御プログラム１８３ｄを実行することにより、表示制御手段として機能する。
【００４０】
ここで、表示制御プログラム１８３ｄの実行におけるサムネイル画像作成・一覧表示処理について、より具体的に説明する。
例えば、前述した選択プログラム１８３ｃの実行により、ＤＶＤ１１ａに記録されたコンテンツデータを構成する映像データ（画像データ）から、特定フレームデータＳｆ１と、当該特定フレームデータＳｆ１の前方向２０分・後方向１０分の範囲内Ｒ１に５分間隔で存在する６枚のフレームデータＡ〜Ｆと、が読み出された場合、ＣＰＵ１８１は、これらの特定フレームデータＳｆ・フレームデータＡ〜Ｆを、サムネイル画像作成部１４に出力させて、サムネイル画像Ｔｎ１〜７に変換させる。
また、ＣＰＵ１８１は、サムネイル画像作成部１４におけるサムネイル画像Ｔｎの作成処理に際して、作成されるサムネイル画像Ｔｎの各々に、識別ＩＤと、当該サムネイル画像Ｔｎの元となった画像データが記録されているＤＶＤ１１ａのアドレス情報と、現在の処理位置からの通常再生処理にかかる時間情報と、を割り当てるサムネイル画像情報テーブル１８２２ｃ（図５参照）を作成し、作成したサムネイル画像情報テーブル１８２２ｃをメモリ部１８２のデータエリア１８２２に一時的に記憶させる。
次に、ＣＰＵ１８１は、選択プログラム１８３ｃの実行によりＤＶＤ１１ａから選択されて読み出された特定フレームデータＳｆ及びフレームデータＡ〜Ｆに基づいて、サムネイル画像作成部１４において、サムネイル画像Ｔｎ１〜７が作成されると、作成されたサムネイル画像Ｔｎ１〜７を、出力インターフェース部１６に出力させるとともに、メモリ部１８２から再生開始位置指定画面テンプレート用のＯＳＤデータ１８２２ｂを読み出し、読み出したＯＳＤデータ１８２２ｂを、ＯＳＤ回路１５により出力インターフェース部１６に出力されるサムネイル画像Ｔｎ１〜７に重ね合わせる処理を行うことにより、サムネイル画像Ｔｎ１〜７が一覧表示された再生開始位置指定画面Ｄ３を作成させて、表示部３１に表示させる。
【００４１】
指定プログラム１８３ｅは、例えば、ＣＰＵ１８１に、キー操作部２１におけるキー操作に基づいて、表示制御プログラム１８３ｄの実行により表示部３１に一覧表示されたサムネイル画像Ｔｎの中から、一のサムネイル画像Ｔｎをユーザに指定させる機能を実現させるためのプログラムである。
具体的には、前述の表示制御プログラム１８３ｄの実行により、サムネイル画像Ｔｎが識別ＩＤとともに一覧表示される再生開始位置指定画面Ｄ３が表示部３１に表示されると、ユーザは、リモコン２等のキー操作部２１におけるキー操作を行い、再生開始位置指定画面Ｄ３に一覧表示されたサムネイル画像Ｔｎの中から、再生開始位置として指定したい一のサムネイル画像Ｔｎを選択する。当該識別ＩＤ及び時間情報は、例えば、メモリ部１８２に記憶されたサムネイル画像情報テーブル１８２２ｃにおいてサムネイル画像Ｔｎに割り当てられた識別ＩＤ及び時間情報と対応付けられるものとなっている。
【００４２】
図６は、前述したＣＰＵ１８１による表示制御プログラム１８３ｄの実行に基づくサムネイル画像作成・一覧表示処理により、表示部３１に表示される再生開始位置指定画面Ｄ３を例示する図である。
図６に示すように、再生開始位置指定画面Ｄ３には、例えば、選択プログラム１８３ｃの実行により選択されたフレームデータ（例えば、特定フレームデータＳｆ１と、特定フレームデータＳｆ１の前方向２０分・後方向１０分の範囲内Ｒ１に５分間隔で存在する６枚のフレームデータＡ〜Ｆ）に基づいて作成されたサムネイル画像Ｔｎ１〜７が、時間情報とともに表示されている。時間情報は、例えば、現在の処理位置（例えば、図４（ａ）におけるｐ１）からの通常再生処理にかかる時間であり、現在の処理位置に対して後方向に存在するサムネイル画像Ｔｎはプラスの時間、前方向に存在するサムネイル画像Ｔｎはマイナスの時間が割り当てられる。すなわち、例えば、特定フレームデータＳｆにはユーザにより入力されたスキップ時間（例えば、「＋３０分」）が割り当てられることとなる。
このような再生開始位置指定画面Ｄ３において、ユーザは、リモコン２等のキー操作部２１におけるキー操作により、再生開始位置として選択したいサムネイル画像Ｔｎを指定する。
ＣＰＵ１８１は、かかる指定プログラム１８３ｅを実行することにより、指定手段として機能する。
【００４３】
再生プログラム１８３ｆは、例えば、ＣＰＵ１８１に、指定プログラム１８３ｅの実行により指定された一のサムネイル画像Ｔｎが対応するフレームデータを再生開始位置として、再生を行う機能を実現させるためのプログラムである。
具体的には、前述した指定プログラム１８３ｅの実行により、再生開始位置指定画面Ｄ３においてユーザにより一のサムネイル画像Ｔｎが指定されると、ＣＰＵ１８１は、選択されたサムネイル画像Ｔｎの識別ＩＤに基づいて、表示制御プログラム１８３ｄの実行においてサムネイル画像Ｔｎの作成と同時に作成され、メモリ部１８２に記憶されたサムネイル画像情報テーブル１８２２ｃを参照し、ユーザにより選択されたサムネイル画像Ｔｎの元となるフレームデータが記録されているＤＶＤ１１ａのアドレス情報を読み出す。そして、ＤＶＤドライブ部１１において、読み出したアドレス情報を再生開始位置として、再生処理を開始する。
例えば、再生開始位置指定画面Ｄ３において、リモコン２等のキー操作部２１におけるユーザのキー操作により、現在の処理位置から後方向に２５分スキップした位置に存在するサムネイル画像Ｔｎが選択されると、ＣＰＵ１８１は、当該サムネイル画像Ｔｎに割り当てられた識別ＩＤ（例えば、「００４」）等に基づいて、サムネイル画像情報テーブル１８２２ｃを参照し、当該サムネイル画像Ｔｎの元のフレームデータが記録されているＤＶＤ１１ａのアドレス情報（例えば、「xxxxxxxx004」）を読み出し、読み出したアドレス情報を再生開始位置として、ＤＶＤ１１ａに記録されたコンテンツデータの再生を開始する。
ＣＰＵ１８１は、かかる再生プログラム１８３ｆを実行することにより、再生手段として機能する。
【００４４】
次に、図７のフローチャートを参照しながら、ＣＰＵ１８１により行われるスキップ処理について説明する。
まず初めに、ＣＰＵ１８１は、リモコン２等のキー操作部２１におけるキー操作の有無を監視しており、ステップＳ１において、キー操作部２１においてスキップ時間入力キー２１ｂが操作されたか否かを判断する。ユーザによりスキップ時間入力キー２１ｂが押下操作され、当該キー操作に対応する入力操作信号が制御部１８に入力されると、ＣＰＵ１８１は、ステップＳ１において、スキップ時間入力キー２１ｂが操作されたと判断して（ステップＳ１；Ｙｅｓ）、ステップＳ２において、メモリ部１８２に記憶されたスキップ時間入力画面テンプレート用のＯＳＤデータ１８２２ｂをＯＳＤ回路１５に出力し、ＯＳＤ回路１５において、当該ＯＳＤデータ１８２２ｂを出力インターフェース部１６に出力されるデータに付加することにより、表示部３１にスキップ時間入力画面Ｄ２を表示させる。次に、表示部３１に表示されたスキップ時間入力画面Ｄ２に基づいて、ステップＳ３において、キー操作部２１におけるテンキー２１ｃ等のキー操作により、ユーザによりスキップ時間及びスキップ方向が入力されると、ＣＰＵ１８１は、ステップＳ４において、現在の処理位置からユーザにより入力されたスキップ時間分だけスキップした位置に存在する特定フレームデータＳｆを選択して、ＤＶＤドライブ部１１に装填されたＤＶＤ１１ａから読み出す。さらに、ＣＰＵ１８１は、ステップＳ５において、メモリ部１８２のデータエリア１８２２に記憶された設定データ１８２２ａを参照して、サムネイル画像Ｔｎとして表示させる複数のフレームデータを、一定間隔で取得するモード１と、特定フレームデータＳｆ（後述）から段階的に間隔を広げてフレームデータを取得するモード２の何れが設定されているかを読み出し、読み出したモードに基づくフレーム間隔で、ステップＳ４において選択した特定フレームデータＳｆより前及び／又は後の所定範囲内に存在するフレームデータを複数選択し、ＤＶＤ１１ａから読み出す。
【００４５】
ステップＳ６において、ＣＰＵ１８１は、ステップＳ４及びステップＳ５において読み出したフレームデータを、データプロセッサ１２を介してデコーダ部１３に出力させ、ビデオデコーダ１３ｂによりデコード処理を行う。さらに、ステップＳ７において、ＣＰＵ１８１は、デコードされたフレームデータをサムネイル画像作成部１４に出力し、サムネイル画像作成部１４において、それぞれのフレームデータに対してスケーリングを行ってサムネイル画像Ｔｎに変換する。そして、ステップＳ８において、ＣＰＵ１８１は、サムネイル画像作成部１４において作成された複数のサムネイル画像Ｔｎを出力インターフェース部１６に出力して出力処理を行うとともに、ＯＳＤ回路１５により、出力インターフェース部１６に出力されるサムネイル画像Ｔｎに対して、再生開始位置指定画面テンプレート用のＯＳＤデータ１８２２ｂを重ね合わせることにより、サムネイル画像Ｔｎが一覧表示される再生開始位置指定画面Ｄ３を作成して、作成した再生開始位置指定画面Ｄ３を表示部３１に表示させる。
【００４６】
次に、ステップＳ９において、表示部３１に表示された再生開始位置指定画面Ｄ３において、キー操作部２１におけるキー操作により、ユーザにより一のサムネイル画像Ｔｎが選択されると、ＣＰＵ１８１は、選択されたサムネイル画像Ｔｎの元となる画像データが記録されたＤＶＤ１１ａのアドレス情報をサムネイル画像情報テーブル１８２２ｃから読み出して、ステップＳ１０において、読み出したアドレス情報に基づいて、サムネイル画像Ｔｎの元となるフレームデータが記録された位置を再生開始位置として、再生を開始し、本処理を終了する。
【００４７】
以上説明した本発明にかかる本実施形態のＤＶＤプレーヤ１００によれば、ユーザによるキー操作を受け付けるキー操作部２１が備わり、ＣＰＵ１８１によるスキップ時間入力プログラム１８３ｂの実行により、キー操作部２１におけるキー操作に基づいて、ＤＶＤ１１ａにおける現在の処理位置からスキップする任意の時間情報が、ユーザにより入力され、フレーム間隔選択手段により、キー操作部２１におけるキー操作に基づいて、スキップ時間入力プログラム１８３ｂの実行により入力された任意の時間情報に相当する位置の特定フレームデータＳｆより前及び／又は後の所定範囲内に存在するフレームデータの中から複数のフレームデータを選択する際のフレーム間隔が、一定間隔又は前記特定フレームデータから段階的に広がる間隔のうちから、ユーザに選択され、選択プログラム１８３ｃの実行により、情報記録媒体に記録された画像データから、スキップ時間入力プログラム１８３ｂの実行により入力された任意の時間情報に相当する位置の特定フレームデータＳｆが選択されるとともに、フレーム間隔選択プログラム１８３ａの実行により選択されたフレーム間隔に基づいて、当該特定フレームデータＳｆより前及び／又は後の所定範囲内Ｒに存在するフレームデータが複数選択され、表示制御プログラム１８３ｄの実行により、選択プログラム１８３ｃの実行により選択された特定フレームデータＳｆ及び複数のフレームデータが、それぞれサムネイル画像Ｔｎに変換されて、表示部３１に一覧表示される。さらに、ＣＰＵ１８１による指定プログラム１８３ｅの実行により、キー操作部２１におけるキー操作に基づいて、表示制御プログラム１８３ｄの実行により表示部３１に一覧表示されたサムネイル画像Ｔｎの中から、一のサムネイル画像Ｔｎがユーザにより指定され、再生手段により、指定手段により指定された一のサムネイル画像Ｔｎに対応するフレームデータを再生開始位置として、再生が行われる。
したがって、ユーザにより入力された任意の時間分だけスキップした位置のフレームデータと、そのフレームデータの前及び／又は後の所定範囲内のフレームデータとがサムネイル画像に変換されてユーザに提示されるため、所望の再生開始位置をより容易に選択して、再生開始を行うことができる再生装置を提供することができる。また、ユーザにより入力された任意の時間情報に相当する位置の所定範囲内から、ユーザの希望に沿った方法で選択されたフレームデータに基づくサムネイル画像がユーザに提示されるため、使い勝手が向上することとなる。
【００４８】
なお、本発明は、発明の趣旨を逸脱しない範囲において種々の改良並びに設計の変更を行っても良い。
例えば、情報記録媒体及び再生装置は、ＤＶＤ１１ａ・ＤＶＤプレーヤ１００に限られることなく、例えば、ハードディスクに記録された画像データの再生を行うハードディスク装置等であっても良い。
また、特定フレームデータの所定範囲内に存在する複数のフレームデータを選択する際におけるフレーム間隔やフレームデータの数等は、上記実施の形態で例示したものに限られず、任意に設定可能である。また、複数のフレームデータを選択する範囲も上記実施の形態で例示したものに限られない。
【図面の簡単な説明】
【００４９】
【図１】本実施形態におけるＤＶＤプレーヤの全体構成を示すブロック図である。
【図２】表示部に表示されるフレーム間隔選択画面を例示する図である。
【図３】表示部に表示されるスキップ時間入力画面を例示する図である。
【図４】選択プログラムの実行におけるフレームデータの選択処理を説明するための図である。
【図５】サムネイル画像情報テーブルの例示である。
【図６】表示部に表示される再生開始位置指定画面を例示する図である。
【図７】ＣＰＵにより行われるスキップ処理を示すフローチャートである。
【符号の説明】
【００５０】
１００    ＤＶＤプレーヤ（再生装置）
１１ａ    ＤＶＤ（情報記録媒体）
２１      キー操作部
１８１    ＣＰＵ（フレーム間隔選択手段、入力手段、選択手段、表示制御手段、指定手段、再生手段）
１８３ａ  フレーム間隔選択プログラム（フレーム間隔選択手段）
１８３ｂ  スキップ時間入力プログラム（入力手段）
１８３ｃ  選択プログラム（選択手段）
１８３ｄ  表示制御プログラム（表示制御手段）
１８３ｅ  指定プログラム（指定手段）
１８３ｆ  再生プログラム（再生手段）
Ｓｆ      特定フレームデータ
Ｔｎ      サムネイル画像
【図１】
2008167013.tif 000003
【図２】
2008167013.tif 000004
【図３】
2008167013.tif 000005
【図４】
2008167013.tif 000006
【図５】
2008167013.tif 000007
【図６】
2008167013.tif 000008
【図７】
2008167013.tif 000009